(57)【要約】  【課題】  光ディスクの情報面にあるピンホールを光スポットが通過する際、オフトラックしていないのにオフトラック検出してしまい、必要がないにもかかわらずオントラックするためにピックアップに強制的に力を加える制御を行い、オントラックからずれるという問題があった。  【解決手段】  光スポットがピンホールを通過する際、オフトラックの検出時間を測定し、ピンホール検出するピンホール検出手段を設け、ピンホールを検出した場合は、オントラックに戻す制御を行わないようにする。これにより、簡単な装置で、オフトラック検出信号を用いてピンホール検出することが可能となり、ピンホール通過時も安定してトラック追従動作を継続することが可能となる。【選択図】  図１
2005276287.tif 000002
【特許請求の範囲】
【請求項１】
情報記録媒体からの情報信号の振幅レベルをもとに生成されたオフトラック検出信号を入力し、前記情報信号有効化の原因がオフトラックかピンホールかに応じて、前記オフトラック検出信号を補正する装置であって、
前記オフトラック検出信号の有効状態がピンホール検出のしきい値時間以上に継続するか否かを判定し、継続するときは前記オフトラック検出信号の有効状態を維持し、継続しないときは前記オフトラック検出信号を無効化し、その結果としてのオフトラック検出補正信号を生成出力することを特徴とするオフトラック補正装置。
【請求項２】
情報記録媒体からの情報信号の振幅レベルをもとに生成されたオフトラック検出信号を入力し、前記情報信号有効化の原因がオフトラックかピンホールかに応じて、前記オフトラック検出信号を補正する装置であって、
前記オフトラック検出信号を入力し、前記オフトラック検出信号の有効化に同期してピンホール検出信号を有効化するとともに、前記オフトラック検出信号の有効状態がピンホール検出のしきい値時間以上に継続するか否かを判定し、継続しないときは前記ピンホール検出信号の有効状態を維持し、継続するときは前記ピンホール検出信号を無効化するピンホール検出手段と、
前記オフトラック検出信号と前記ピンホール検出信号とを入力し、前記オフトラック検出信号が有効状態でかつ前記ピンホール検出信号が無効状態のときに限ってオフトラック検出補正信号を有効化して出力するオフトラック検出補正手段と、
を備えたことを特徴とするオフトラック補正装置。
【請求項３】
情報記録媒体からの情報信号の振幅レベルをもとに生成されたオフトラック検出信号を入力し、前記情報信号有効化の原因がオフトラックかピンホールかに応じて、前記オフトラック検出信号を補正する装置であって、
前記オフトラック検出信号を入力するとともに、前記オフトラック検出信号をピンホール検出のしきい値時間以上に遅延させて遅延信号を生成し、前記オフトラック検出信号が有効状態でかつ前記遅延信号が有効状態のときに限ってオフトラック検出補正信号を有効化して出力するオフトラック検出補正手段を備えたことを特徴とするオフトラック補正装置。
【請求項４】
光ディスクの情報トラックと前記光ディスクに照射される光スポットとの相対位置誤差を検出するトラッキング誤差検出手段と、
前記トラッキング誤差検出手段の出力を入力として、ゲイン補償と位相補償とを行う補償手段と、
前記光ディスクの情報トラック上の情報を検出し、情報信号として出力する情報信号検出手段と、
前記情報信号検出手段から入力する前記情報信号の振幅レベルをもとにオフトラック検出信号を生成するオフトラック検出手段と、
前記オフトラック検出信号の有効状態がピンホール検出のしきい値時間以上に継続するか否かを判定し、継続するときは前記オフトラック検出信号の有効状態を維持し、継続しないときは前記オフトラック検出信号を無効化し、その結果としてのオフトラック検出補正信号を生成出力するオフトラック補正手段と、
前記オフトラック補正手段から入力する前記オフトラック検出補正信号が有効のときに、前記光スポットが前記情報トラックに照射される方向に強制パルスを出力する強制パルス出力手段と、
前記補償手段の出力と前記強制パルス出力手段の出力の和信号を入力として、トラッキングアクチュエータを駆動するトラッキングアクチュエータ駆動手段と
を備えたことを特徴とする光ディスク装置。
【請求項５】
前記オフトラック補正手段は、
前記オフトラック検出信号を入力し、前記オフトラック検出信号の有効化に同期してピンホール検出信号を有効化するとともに、前記オフトラック検出信号の有効状態がピンホール検出のしきい値時間以上に継続するか否かを判定し、継続しないときは前記ピンホール検出信号の有効状態を維持し、継続するときは前記ピンホール検出信号を無効化するピンホール検出手段と、
前記オフトラック検出信号と前記ピンホール検出信号とを入力し、前記オフトラック検出信号が有効状態でかつ前記ピンホール検出信号が無効状態のときに限ってオフトラック検出補正信号を有効化して出力するオフトラック検出補正手段と、
から構成されていることを特徴とする請求項４に記載の光ディスク装置。
【請求項６】
前記オフトラック補正手段は、
前記オフトラック検出信号を入力するとともに、前記オフトラック検出信号をピンホール検出のしきい値時間以上に遅延させて遅延信号を生成し、前記オフトラック検出信号が有効状態でかつ前記遅延信号が有効状態のときに限ってオフトラック検出補正信号を有効化して出力するオフトラック検出補正手段で構成されていることを特徴とする請求項４に記載の光ディスク装置。
【発明の詳細な説明】
【技術分野】
【０００１】
本発明は、光ディスク等の情報記録媒体上の情報をピックアップするときのトラッキング制御に必要なオフトラック補正装置に関するものである。また、オフトラック補正装置を含む光ディスク装置に関するものである。
【背景技術】
【０００２】
以下、図面を参照しながら従来の光ディスク装置について説明する。
【０００３】
図９は、従来の光ディスク装置の構成を示すブロック図である。図９に示すように、従来の光ディスク装置は、光学ピックアップ１１、トラッキング誤差検出回路２１、ゲイン補償・位相補償用のトラッキングループフィルタ２２、トラッキングアクチュエータ駆動回路２３、情報信号検出回路３１、オフトラック検出回路３２および強制パルス出力回路３５を備えている。
【０００４】
光学ピックアップ１１は、同心円状または螺旋状の情報トラックを有する光ディスク１上に集光させる対物レンズ１２と、この対物レンズ１２を半径方向に移動させるトラッキングアクチュエータ１３と、光ディスク１からの反射光を電気信号に変換するフォトディテクタ１４とを有している。
【０００５】
トラッキング誤差検出回路２１は、フォトディテクタ１４からの電気信号に基づいて、光ディスク１に照射された光スポットと光ディスク１上の情報トラックとの位置のずれを検出し、その位置ずれを示すトラッキング誤差信号ａを生成する。
【０００６】
トラッキングループフィルタ２２は、ハイパスフィルタとローパスフィルタなどが並列に接続して構成され、トラッキング誤差検出回路２１からのトラッキング誤差信号ａに対して低域補償や位相補償などの演算処理を施し、トラッキング誤差信号ａがゼロに近づくようにトラッキング制御信号ｂを生成する。
【０００７】
トラッキングアクチュエータ駆動回路２３は、トラッキングループフィルタ２２で生成されたトラッキング制御信号ｂと強制パルス出力回路３５による強制パルスｐとの和であるアクチュエータ駆動信号ｈを入力し、トラッキングアクチュエータ１３を駆動する。
【０００８】
情報信号検出回路３１は、フォトディテクタ１４からの電気信号に基づいて、光ディスク１上の情報を情報信号ｃとして出力する。
【０００９】
オフトラック検出回路３２は、情報信号ｃを入力とし、その情報信号ｃの振幅量に応じてオフトラックを検出し、オフトラック検出信号ｄとして出力する。例えば、光スポットが情報トラック上にあるオントラックのときの情報信号ｃの振幅に比較して、情報トラック上にないオフトラックのときは、情報信号ｃの振幅が小さくなる。このことを利用する。すなわち、あるしきい値を設け、情報信号ｃの振幅値がしきい値以下となったときはオフトラックであるとして、オフトラック検出信号ｄを例えば“１”として出力する。一方、しきい値より大きい場合は、オフトラック検出信号ｄを例えば“０”と出力する（例えば、特許文献１参照。）。
【００１０】
強制パルス出力回路３５は、オフトラック検出信号ｄを受け、オフトラック検出信号ｄが“１”のときに、光スポットを目標の情報トラック上に移動させる向きに強制パルスｐを出力する。
【００１１】
以下、従来の光ディスク装置の動作について説明する。
【００１２】
光ディスク１上の情報を再生するとき、トラック追従動作を行う。トラック追従動作を行っているとき、トラッキングループフィルタ２２は、トラッキング誤差信号ａをゼロにするようにトラッキング制御信号ｂを生成出力する。トラッキングアクチュエータ駆動回路２３は、そのトラッキング制御信号ｂすなわちアクチュエータ駆動信号ｈを受けることで、トラッキングアクチュエータ１３を駆動し、光スポットが情報トラックを追従するように対物レンズ１２を制御する。
【００１３】
このトラック追従動作中に外部から力を加えられるなどして、光スポットが情報トラック上から外れオフトラックした場合、情報信号ｃの振幅は小さくなる。オフトラック検出回路３２は、その振幅の小さい情報信号ｃを受け、オフトラック検出信号ｄを“１”とする。強制パルス出力回路３５は、オフトラック検出信号ｄが“１”になったことを受けて、光スポットを目標の情報トラック上に移動させる向きに強制パルスｐを出力する。トラッキングアクチュエータ駆動回路２３は、強制パルスｐを含むアクチュエータ駆動信号ｈに応じてトラッキングアクチュエータ１３を駆動する。これにより、光スポットがオントラックする方向に対物レンズ１２が移動され、トラック追従動作に復帰しやすくする。
【特許文献１】特開平１−３０３６３４号公報（第４頁、第１図）
【発明の開示】
【発明が解決しようとする課題】
【００１４】
光ディスクには、その情報面に傷の一種であるピンホールが存在することがある。ここでいうピンホールとは、情報面についた小さな穴であり、そこでは情報が欠落している。
【００１５】
従来の光ディスク装置において、トラック追従動作中にピンホールを光スポットが通過する際、情報が欠落しているために、情報信号ｃの振幅が小さくなる。このため、オフトラック検出回路３２は、その情報信号ｃが入力されると、情報トラックから外れていないにもかかわらず、オフトラックとして検出する。強制パルス出力回路３５は、このオフトラック検出信号ｄが入力されると、光スポットを目標の情報トラック上に移動させる向きに強制パルスｐを出力する。トラッキングアクチュエータ駆動回路２３は、強制パルスｐを含むアクチュエータ駆動信号ｈを受け、トラッキングアクチュエータ１３が光ディスク１の半径方向に移動するように力を加えられる。このため、情報トラックから外れていないにもかかわらず、光スポットの位置が移動されてしまう。
【００１６】
このように、光スポットがピンホールを通過するとき、従来の光ディスク装置では、ピンホールを検出することができないため、光スポットは情報トラックから外れていないにもかかわらず、トラッキングアクチュエータに半径方向に移動させる力が加えられ、情報トラックから外れてしまうことになるという問題がある。
【００１７】
本発明は、このような事情に鑑みて創作したものであり、ピンホールに起因するオントラックは無効として、強制パルス出力を正しく行えるオフトラック補正装置を提供すること、ならびにピンホールに起因する誤動作を生じない光ディスク装置を提供することを目的としている。
【課題を解決するための手段】
【００１８】
本発明は、上記の課題を解決するために次のような手段を講じる。
【００１９】
情報トラック追従時に、光スポットがピンホールを通過する場合、ピンホールの直径が微小であることから、ピンホールを通過する時間は短時間である。このためピンホールを通過したとしても、情報が欠落する時間は短時間である。それに対し、実際に、例えば外部からの力などにより光スポットが情報トラックから外れてしまった場合は、再び光スポットが情報トラックに追従するまでには、ある程度の時間を要する。すなわち、ピンホールによる情報の欠落は、オフトラックしている場合と比較して、非常に短時間である。本発明は、この現象を利用する。
【００２０】
本発明によるオフトラック補正装置は、情報記録媒体からの情報信号の振幅レベルをもとに生成されたオフトラック検出信号を入力し、前記情報信号有効化の原因がオフトラックかピンホールかに応じて、前記オフトラック検出信号を補正する装置であって、前記オフトラック検出信号の有効状態がピンホール検出のしきい値時間以上に継続するか否かを判定し、継続するときは前記オフトラック検出信号の有効状態を維持し、継続しないときは前記オフトラック検出信号を無効化し、その結果としてのオフトラック検出補正信号を生成出力することを特徴とするものである。
【００２１】
オフトラック検出信号が有効化されたとき、その有効化が、実際のオフトラックによるものなのか、それともピンホールによるものなのかの識別を行うに当たり、オフトラック検出信号の有効状態の継続時間でみている。ピンホール検出のしきい値時間を設定し、オフトラック検出信号有効状態継続時間がピンホール検出しきい値時間以上であれば、そのときのオフトラック検出信号有効化が実際のオフトラックによるものであるとして、そのオフトラック検出信号の有効状態を維持し、それをオフトラック検出補正信号とする。一方、オフトラック検出信号有効状態継続時間がピンホール検出しきい値時間より短ければ、そのときのオフトラック検出信号有効化が実際のオフトラックによるものではなく、ピンホールによるものであるとして、そのオフトラック検出信号を無効化し、それをオフトラック検出補正信号とする。
【００２２】
このように、オフトラック検出信号の時間的監視に基づいて、ピンホールであるか実際のオフトラックであるかを識別し、ピンホールのときはオフトラック検出信号を補正して無効化し、ピンホールでないときにのみオフトラック検出補正信号を有効にする。オフトラックでないときの余計なトラッキングアクチュエータ移動を効果的に防止することができるとともに、その機能のために必要なピンホールか否かの識別を、オフトラック検出信号の時間的監視という簡易な手法で実現することができる。
【００２３】
上記構成のオフトラック補正装置には、より具体的レベルで、次のような形態のものが考えられる。それは、ピンホール検出手段と、オフトラック検出補正手段とを備えたものとして構成されている。ピンホール検出手段は、前記オフトラック検出信号を入力し、前記オフトラック検出信号の有効化に同期してピンホール検出信号を有効化するとともに、前記オフトラック検出信号の有効状態がピンホール検出のしきい値時間以上に継続するか否かを判定し、継続しないときは前記ピンホール検出信号の有効状態を維持し、継続するときは前記ピンホール検出信号を無効化するものである。また、オフトラック検出補正手段は、前記オフトラック検出信号と前記ピンホール検出信号とを入力し、前記オフトラック検出信号が有効状態でかつ前記ピンホール検出信号が無効状態のときに限ってオフトラック検出補正信号を有効化して出力するものである。
【００２４】
これは、オフトラック検出信号に基づいてピンホール検出信号を生成し、オフトラック検出信号有効状態継続時間のいかんに応じて、生成したピンホール検出信号の有効・無効を決定するものである。ピンホール検出手段は、オフトラック検出信号が一旦、有効になれば、それに同期して、とりあえずピンホール検出信号を有効化する。これは、オフトラック検出信号の有効化の要因が、ピンホールにあるのか、実際のオフトラックにあるのかが未確定の状態である。ピンホールによる可能性があるので、とりあえずピンホール検出信号を有効化しておくのである。このようにピンホール検出信号をとりあえず有効化した上で、オフトラック検出信号有効状態継続時間を判定する。オフトラック検出信号有効状態継続時間がピンホール検出しきい値時間よりも短ければ、すなわち、しきい値時間の経過前にオフトラック検出信号が無効になるのであれば、それはピンホールが要因であるとして、一旦、有効化したピンホール検出信号をその有効の状態のまま維持する。一方、オフトラック検出信号有効状態継続時間がピンホール検出しきい値時間以上であれば、すなわち、しきい値時間を経過してもオフトラック検出信号が有効状態を維持するのであれば、それはピンホールが要因ではなく、実際のオフトラックであるとして、一旦、有効化したピンホール検出信号を無効化する。ここでも、オフトラック検出信号の時間的監視に基づいて、ピンホールであるか実際のオフトラックであるかを識別している。
【００２５】
そして、オフトラック検出補正手段は、オフトラック検出信号が有効状態でかつピンホール検出信号が無効状態のときに限ってオフトラック検出補正信号を有効化する。
【００２６】
また、別の形態として、上記のようなピンホール検出手段はもたず、次のようなオフトラック検出補正手段を備えたものがある。そのオフトラック検出補正手段は、前記オフトラック検出信号を入力するとともに、前記オフトラック検出信号をピンホール検出のしきい値時間以上に遅延させて遅延信号を生成し、前記オフトラック検出信号が有効状態でかつ前記遅延信号が有効状態のときに限ってオフトラック検出補正信号を有効化して出力するものである。
【００２７】
これは、オフトラック検出信号に基づいて、このオフトラック検出信号をピンホール検出しきい値時間以上に遅延させた遅延信号を生成し、オフトラック検出信号と遅延信号との相関関係でオフトラック検出信号を時間的に監視し、そのことによって、ピンホールであるか実際のオフトラックであるかを識別するものである。
【００２８】
オフトラック検出信号の遅延信号が有効となるに至った時点で、オフトラック検出信号が依然として有効状態にあるのか、それとも無効状態になっているのかの区別により、オフトラック検出信号の有効化の要因が、ピンホールにあるのか、実際のオフトラックにあるのかを識別する。前者の場合、すなわち、遅延信号が有効化した時点でオフトラック検出信号が有効状態を保っていれば、それは実際のオフトラックが要因であるとして、オフトラック検出補正信号を有効化する。一方、後者の場合、すなわち、遅延信号が有効化した時点でオフトラック検出信号が無効状態となっておれば、それはピンホールが要因であるとして、オフトラック検出補正信号は有効化しない。ここでも、オフトラック検出信号の時間的監視に基づいて、ピンホールであるか実際のオフトラックであるかを識別している。
【００２９】
上記のオフトラック補正装置にかかわる発明を光ディスク装置において、次のように展開することが可能である。
【００３０】
本発明による光ディスク装置は、次の各構成要素を備えたものとして構成されている。すなわち、
光ディスクの情報トラックと前記光ディスクに照射される光スポットとの相対位置誤差を検出するトラッキング誤差検出手段と、
前記トラッキング誤差検出手段の出力を入力として、ゲイン補償と位相補償とを行う補償手段と、
前記光ディスクの情報トラック上の情報を検出し、情報信号として出力する情報信号検出手段と、
前記情報信号検出手段から入力する前記情報信号の振幅レベルをもとにオフトラック検出信号を生成するオフトラック検出手段と、
前記オフトラック検出信号の有効状態がピンホール検出のしきい値時間以上に継続するか否かを判定し、継続するときは前記オフトラック検出信号の有効状態を維持し、継続しないときは前記オフトラック検出信号を無効化し、その結果としてのオフトラック検出補正信号を生成出力するオフトラック補正手段と、
前記オフトラック補正手段から入力する前記オフトラック検出補正信号が有効のときに、前記光スポットが前記情報トラックに照射される方向に強制パルスを出力する強制パルス出力手段と、
前記補償手段の出力と前記強制パルス出力手段の出力の和信号を入力として、トラッキングアクチュエータを駆動するトラッキングアクチュエータ駆動手段と
を備えた構成とされている。
【００３１】
ここで、前記オフトラック補正手段としては、上記したいずれかのオフトラック補正装置を適用することができる。
【発明の効果】
【００３２】
本発明のオフトラック補正装置によれば、ピンホールに起因する余計なトラッキングアクチュエータ移動を効果的に防止することができるとともに、その機能のために必要なピンホールか否かの識別を、オフトラック検出信号の時間的監視という簡易な手法で実現することができる。
【００３３】
また、本発明の光ディスク装置によれば、ピンホールに起因する余計なトラッキングアクチュエータ移動を効果的に防止し、ピンホールの存在する光ディスクの情報を再生するときのプレイアビリティを向上することができる。
【発明を実施するための最良の形態】
【００３４】
以下、本発明にかかわる光ディスク装置の実施の形態を図面に基づいて詳細に説明する。
【００３５】
（実施の形態１）
図１は本発明の実施の形態１における光ディスク装置の構成を示すブロック図である。図１に示すように、実施の形態１の光ディスク装置は、光学ピックアップ１１、トラッキング誤差検出回路２１、トラッキングループフィルタ２２、トラッキングアクチュエータ駆動回路２３、情報信号検出回路３１、オフトラック検出回路３２、ピンホール検出回路３３、オフトラック検出補正回路３４および強制パルス出力回路３５を備えている。
【００３６】
なお、トラッキング誤差検出回路２１、トラッキングループフィルタ２２、トラッキングアクチュエータ駆動回路２３、情報信号検出回路３１、オフトラック検出回路３２および強制パルス出力回路３５の構成および動作については、従来の光ディスク装置と同様であり、その説明は省略する。
【００３７】
ピンホール検出回路３３は、オフトラック検出回路３２からのオフトラック検出信号ｄを入力とし、光スポットが光ディスク１上のピンホールを通過したことを検出し、ピンホール検出信号ｅとして出力するように構成されている。
【００３８】
情報トラック追従時に、光スポットがピンホールを通過する場合、ピンホールの直径が微小であることから、ピンホールを通過する時間は短時間であることがほとんどである。このためピンホールを通過したとしても、情報が欠落する時間は短時間である。それに対し、実際に、例えば外部からの力などにより光スポットが情報トラックから外れてしまった場合は、再び光スポットが情報トラックに追従するまでには、ある程度の時間を要する。すなわち、ピンホールによる情報の欠落は、オフトラックしている場合と比較して、非常に短時間であるといえる。
【００３９】
この現象を利用し、オフトラック検出信号ｄを利用してピンホール検出信号ｅを次のように生成する。例えば、オフトラック検出信号ｄが例えば“１”である時間をカウントする。オフトラック検出信号ｄが“１”の状態が所定時間以上にわたって継続する場合には、オフトラック検出信号ｄのアクティブの原因が本来のオフトラックにあるとして、ピンホール検出信号ｅを“０”として出力する。一方、オフトラック検出信号ｄが“１”の状態の継続時間が所定時間よりも短く、所定時間に達するまでにオフトラック検出信号ｄが“０”に戻った場合には、オフトラック検出信号ｄのアクティブの原因が本来のオフトラックにはなく、ピンホールを通過したことにあると判断して、ピンホール検出信号ｅを“１”として出力する。前記の所定時間をピンホール検出のしきい値時間Ｔpとする。
【００４０】
図２および図３に、オフトラック検出信号ｄとピンホール検出信号ｅの関係例を示す。
【００４１】
図２に示すように、オフトラック検出信号ｄが“１”になるタイミングでピンホール検出信号ｅを“１”に立ち上げ、同時に時間カウントを開始する。オフトラック検出信号ｄが“１”となっている時間がピンホール検出のしきい値時間Ｔpよりも短く、しきい値時間Ｔpに達するまでにオフトラック検出信号ｄが“０”に戻る場合には、その原因がピンホール通過にあるとして、しきい値時間Ｔpが経過しても、ピンホール検出信号ｅを“１”にしたままにしておく。これによって、ピンホールを検出したことを示す。
【００４２】
また、図３のように、オフトラック検出信号ｄが“１”となっている時間がしきい値時間Ｔp以上に及ぶ場合には、その原因がオフトラックにあるとして、ピンホール検出を否定するため、しきい値時間Ｔpが経過したタイミングでピンホール検出信号ｅをクリアして“０”にする。
【００４３】
図４は、実施の形態１のオフトラック検出補正回路３４の具体的な構成例を示す。オフトラック検出補正回路３４は、２入力のＡＮＤ回路３６の一方の入力端子にオフトラック検出回路３２からのオフトラック検出信号ｄを入力し、もう一方の入力端子にピンホール検出回路３３からのピンホール検出信号ｅの論理反転（ＮＯＴ）を入力し、オフトラック検出補正信号ｆを出力するものとして構成されている。オフトラック検出補正信号ｆがアクティブの“１”になるのは、オフトラック検出信号ｄが“１”でかつピンホール検出信号ｅが“０”のときに限られる。
【００４４】
図５に、オフトラック検出信号ｄとピンホール検出信号ｅとオフトラック検出補正信号ｆとの関係を示す。
【００４５】
オフトラック検出補正信号ｆが“１”となるのは、オフトラック検出信号ｄが“１”の状態がしきい値時間Ｔpを超え、その結果として、ピンホール検出信号ｅが“０”に戻されたときである。
【００４６】
以下、具体的レベルで動作を説明する。
【００４７】
（１）まず、トラック追従動作中に、光スポットがピンホールを通過した際の動作を説明する。これを、図５の前半部分を参照して説明する。
【００４８】
光スポットがピンホールに達すると、情報が欠落していることから、情報信号ｃの振幅が小さくなる。オフトラック検出回路３２は、この情報信号ｃの振幅が小さくなったことに基づいて、オフトラック検出信号ｄを“１”にする。ピンホール検出回路３３は、オフトラック検出信号ｄが“１”になったタイミングでピンホール検出信号ｅを“１”にする。同時に時間のカウントを開始する。オフトラック検出補正回路３４は、オフトラック検出信号ｄが“１”、ピンホール検出信号ｅも“１”であるので、オフトラック検出補正信号ｆとしては“０”のままである。オフトラック検出補正信号ｆが“０”であるので強制パルス出力回路３５は強制パルスｐを出力しない。
【００４９】
しきい値時間Ｔpが経過する前に光スポットがピンホールを通過し終わると、情報が通常どおり読み取れるようになり、情報信号ｃの振幅は通常に戻る。これを受け、オフトラック検出回路３２は、オフトラック検出信号ｄを“０”にする。その結果、図２で説明したように、ピンホール検出回路３３は、しきい値時間Ｔpの経過後も引き続いてピンホール検出信号ｅを“１”としたままにする。ピンホール検出信号ｅが“１”を維持するので、ＡＮＤ回路３６の出力であるオフトラック検出補正信号ｆは“０”のままであり、強制パルス出力回路３５はやはり強制パルスｐを出力しない。
【００５０】
まとめると、ピンホール通過時は、しきい値時間Ｔpの経過後もピンホール検出信号ｅは“１”を保ち、オフトラック検出補正信号ｆが“０”を維持するので、強制パルス出力回路３５からは強制パルスｐは出力されない。
【００５１】
（２）次に、トラック追従動作中に、光スポットがピンホール通過ではなく、オフトラックした場合の動作を説明する。これを、図５の後半部分を参照して説明する。
【００５２】
光スポットが外部から加えられた力などにより、情報トラック上から外れた場合、情報が読めないため、情報信号ｃの振幅は小さくなる。オフトラック検出回路３２は、この情報信号ｃの振幅が小さくなったことに基づいて、（１）の場合と同様に、オフトラック検出信号ｄを“１”にする。ピンホール検出回路３３は、オフトラック検出信号ｄが“１”になったタイミングでピンホール検出信号ｅを“１”にする。なお、あらかじめピンホールを通過していて、ピンホール検出信号ｅがすでに“１”になっている場合もある。オフトラック検出信号ｄの立ち上げに同期して、時間のカウントを開始する。
【００５３】
オフトラックの場合には、オフトラック検出信号ｄが“１”の状態のまま、しきい値時間Ｔpが経過する。このとき、ピンホール検出回路３３は、“１”であったピンホール検出信号ｅを強制的に“０”にする。この結果、オフトラック検出補正回路３４におけるＡＮＤ回路３６の２入力はともに“１”となる。すなわち、オフトラック検出信号ｄが“１”で、ピンホール検出信号ｅが“０”であるから、オフトラック検出補正信号ｆは“１”を出力する。強制パルス出力回路３５は、この“１”のオフトラック検出補正信号ｆを受け、光スポットを情報トラック上に移動させる向きに強制パルスｐを出力する。
【００５４】
まとめると、実際にオフトラックした場合は、しきい値時間Ｔpの経過後にピンホール検出信号ｅが“０”となり、オフトラック検出補正信号ｆが反転して“１”となるので、強制パルス出力回路３５から強制パルスｐが出力される。
【００５５】
そして、トラッキングアクチュエータ駆動回路２３は、この強制パルスｐを含むアクチュエータ駆動信号ｈを受け、トラッキングアクチュエータ１３に対し、光スポットがオントラックになる方向へ移動させるように指示する。
【００５６】
以上のように本実施の形態によれば、オフトラック検出信号ｄの時間的監視に基づいて、ピンホールであるか実際のオフトラックであるかを識別し、ピンホールのときはオフトラック検出信号ｄを補正して無効化し、ピンホールでないときにのみオフトラック検出補正信号ｆを有効にする。オフトラックでないときの余計なトラッキングアクチュエータ移動を防止するために必要なピンホールか否かの識別を、オフトラック検出信号ｄの時間的監視という簡易な手法で実現している。
【００５７】
（実施の形態２）
図６は本発明の実施の形態２における光ディスク装置の構成を示すブロック図である。図６に示すように、実施の形態２の光ディスク装置は、光学ピックアップ１１、トラッキング誤差検出回路２１、トラッキングループフィルタ２２、トラッキングアクチュエータ駆動回路２３、情報信号検出回路３１、オフトラック検出回路３２、オフトラック検出補正回路３４および強制パルス出力回路３５を備えている。
【００５８】
なお、トラッキング誤差検出回路２１、トラッキングループフィルタ２２、トラッキングアクチュエータ駆動回路２３、情報信号検出回路３１、オフトラック検出回路３２および強制パルス出力回路３５の構成および動作は、実施の形態１の光ディスク装置と同様であり、その説明は省略する。
【００５９】
図７は、実施の形態２のオフトラック検出補正回路３４の具体的な構成例を示す。オフトラック検出補正回路３４は、２入力のＡＮＤ回路３６と遅延回路３７からなり、オフトラック検出回路３２からのオフトラック検出信号ｄをＡＮＤ回路３６の一方の入力端子と遅延回路３７の入力端子に入力し、遅延回路３７の出力をＡＮＤ回路３６のもう一方の入力端子に入力し、オフトラック検出補正信号ｆを出力するものとして構成されている。遅延回路３７は、入力信号に対して遅延時間Ｔdを持ち出力する。
【００６０】
次に、以上のように構成された本実施の形態の光ディスク装置の動作を図８に基づいて説明する。
【００６１】
（１）まず、トラック追従動作中に、光スポットがピンホールを通過した際の動作を説明する。
【００６２】
光スポットがピンホールに達すると、情報が欠落していることから、情報信号ｃの振幅が小さくなる。オフトラック検出回路３２は、この情報信号ｃの振幅が小さくなったことに基づいて、オフトラック検出信号ｄを“１”にする。“１”になったオフトラック検出信号ｄは、オフトラック検出補正回路３４におけるＡＮＤ回路３６の一方の入力端子と遅延回路３７とに入力される。遅延回路３７の遅延時間Ｔdは、ピンホール検出のしきい値時間Ｔpよりも長く設定されている。本動作例の場合は、オフトラック検出信号ｄの立ち上がりの原因がピンホールであるので、遅延時間Ｔdが経過したときは、オフトラック検出信号ｄは“０”に戻っている。遅延信号ｇが立ち上がるタイミングではオフトラック検出信号ｄは“０”である。したがって、ＡＮＤ回路３６が出力するオフトラック検出補正信号ｆは“０”のままである。オフトラック検出補正信号ｆが“０”であるので強制パルス出力回路３５は強制パルスｐを出力しない。
【００６３】
まとめると、ピンホール通過時は、オフトラック検出信号ｄが“１”の状態が遅延時間Ｔd以上は続かないので、オフトラック検出補正信号ｆは“０”のままであり、強制パルス出力回路３５からは強制パルスｐは出力されない。
【００６４】
（２）次に、トラック追従動作中に、光スポットがピンホール通過ではなく、オフトラックした場合の動作を説明する。
【００６５】
光スポットが外部から加えられた力などにより、情報トラック上から外れた場合、情報が読めないため、情報信号ｃの振幅は小さくなる。オフトラック検出回路３２は、この情報信号ｃの振幅が小さくなったことに基づいて、（１）の場合と同様に、オフトラック検出信号ｄを“１”にする。本動作例の場合は、オフトラック検出信号ｄの立ち上がりの原因が実際のオフトラックであるので、遅延時間Ｔdが経過したときに、オフトラック検出信号ｄは“１”の状態を保っている。このとき、遅延回路３７の出力である遅延信号ｇは“１”になり、論理積後のオフトラック検出補正回路３４の出力であるオフトラック検出補正信号ｆは反転して“１”になる。強制パルス出力回路３５は、この“１”のオフトラック検出補正信号ｆを受け、光スポットがオントラックになる方向へ移動させる向きに強制パルスｐを出力する。
【００６６】
まとめると、実際にオフトラックした場合は、オフトラック検出信号ｄが“１”の状態が遅延時間Ｔd以上続くので、オフトラック検出補正信号ｆは反転して“１”となり、強制パルス出力回路３５から強制パルスｐが出力される。
【００６７】
そして、トラッキングアクチュエータ駆動回路２３は、この強制パルスｐを受け、トラッキングアクチュエータ１３に対し、光スポットがオントラックになる方向へ移動させるように指示する。
【産業上の利用可能性】
【００６８】
本発明にかかる光ディスク装置は、ＣＤ（Compact Disc）プレイヤーやＭＤ（Mini Disc）プレイヤーやＤＶＤ（Digital Versatile Disc）等として有用である。
【００６９】
また、本発明のオフトラック補正装置は、上記の各種の光ディスク装置に搭載するトラッキング制御の構成要素として有用である。
【図面の簡単な説明】
【００７０】
【図１】本発明の実施の形態１における光ディスク装置の構成を示すブロック図
【図２】実施の形態１におけるピンホール通過時のオフトラック検出信号とピンホール検出信号の関係の説明図
【図３】実施の形態１におけるピンホール通過でないときのオフトラック検出信号とピンホール検出信号の関係の説明図
【図４】本発明の実施の形態１のオフトラック検出補正回路の具体的構成を示すブロック図
【図５】本発明の実施の形態１の動作を示すタイミングチャート
【図６】本発明の実施の形態２における光ディスク装置の構成を示すブロック図
【図７】本発明の実施の形態２のオフトラック検出補正回路の具体的構成を示すブロック図
【図８】本発明の実施の形態２の動作を示すタイミングチャート
【図９】従来の光ディスク装置の概略構成を示すブロック図
【符号の説明】
【００７１】
１  光ディスク
１１  光学ピックアップ
１２  対物レンズ
１３  トラッキングアクチュエータ
１４  フォトディテクタ
２１  トラッキング誤差検出回路
２２  トラッキングループフィルタ
２３  トラッキングアクチュエータ駆動回路
３１  情報信号検出回路
３２  オフトラック検出回路
３３  ピンホール検出回路
３４  オフトラック検出補正回路
３５  強制パルス出力回路
３６  ＡＮＤ回路
３７  遅延回路
ａ  トラッキング誤差信号
ｂ  トラッキング制御信号
ｃ  情報信号
ｄ  オフトラック検出信号
ｅ  ピンホール検出信号
ｆ  オフトラック検出補正信号
ｇ  遅延信号
ｈ  アクチュエータ駆動信号
ｐ  強制パルス
Ｔp  ピンホール検出しきい値時間
Ｔd  遅延時間
【図１】
2005276287.tif 000003
【図２】
2005276287.tif 000004
【図３】
2005276287.tif 000005
【図４】
2005276287.tif 000006
【図５】
2005276287.tif 000007
【図６】
2005276287.tif 000008
【図７】
2005276287.tif 000009
【図８】
2005276287.tif 000010
【図９】
2005276287.tif 000011